(57)【要約】      （修正有）【課題】壁部表面にコード保持用ベース部材を取り付ける際に、壁部が強固な固定壁の場合と石膏ボードの場合とに適切に使い分けできるようにしたコード保持用部品セットを提供する。【解決手段】石膏ボードの壁部１の表面にコード保持用ベース部材６を装着する場合、壁部１の刳り貫き穴Ｈの縁部に装着した取付け金具２３に、予め第２の雄ねじ２６でベース部材６を装着されたプレート２５が、第１の雄ねじ２４で取り付けられるが、ベース部材６を壁部１へ直接取り付ける場合は、刳り貫き穴Ｈを設けることなく、プレート２５を用いずに、第２の雄ねじ２６のねじ穴よりも小径の雄ねじを用いて、上記ねじ穴に挿通し壁部１にねじ止めされる。【選択図】図４
0003142627.tif 000002
【実用新案登録請求の範囲】
【請求項１】
石膏ボードの壁部の表面にコード保持用ベース部材を取り付けるべく、同ベース部材と、上記壁部の刳り貫き穴の縁部に装着されて上記ベース部材を保持するための取付け金具と、同取付け金具にねじ止めされるようにして上記壁部の表面に装着されるためのプレートおよび同プレートのねじ止めのための第１の雄ねじとを備えるとともに、上記プレートの裏面側から表面側へ同プレートを貫通して上記ベース部材におけるねじ穴に螺合するための第２の雄ねじを備え、上記プレートを用いずに上記ベース部材を上記壁部に直接ねじ止めする際に同ベース部材における上記ねじ穴に挿通されて上記壁部へ螺入するための第３の雄ねじが、上記第２の雄ねじよりも小径の雄ねじとして組み込まれていることを特徴とする、コード保持用部品セット。
【請求項２】
上記第２の雄ねじが５ｍｍ径の雄ねじであり、上記第３の雄ねじが４ｍｍ径の雄ねじであることを特徴とする、請求項１に記載のコード保持用部品セット。
【請求項３】
上記ベース部材の下部に拘束部材を介し緩やかに装着されるためのフランジ付き短管と、同短管に挿通されて端部を保持されるコード挿通用可撓性パイプとが組み込まれていることを特徴とする、請求項１または２に記載のコード保持用部品セット。
【請求項４】
上記ベース部材にかぶせるためのカバーが組み込まれていることを特徴とする、請求項１〜３のいずれか１つに記載のコード保持用部品セット。
【考案の詳細な説明】
【技術分野】
【０００１】
本考案は、屋内の電気配線工事に用いて好適のコード保持用部品セットに関し、特に石膏ボードの固定壁表面にコード保持用ベース部材を装着する場合と、強固な固定壁に上記ベース部材を直接ボルト締めする場合とに使い分けできるようにしたコード保持用部品セットに関する。
【背景技術】
【０００２】
一般に、屋内の電気配線工事では、図１に示すように、固定壁１に形成された出入口にヒンジ２を介し枢着された扉３に、電気錠４を新設する場合、固定壁１に沿い電源側からスイッチ操作盤13を介し送られてくる電力は、固定壁１におけるコード５に接続されたベース部材６から、扉３におけるベース部材６へ緩やかに弯曲して接続するように配設されたケーシングとしての可撓性パイプ７内を通過して電気錠４へ至るコード５を介し、送電されるように構成されている。
ところで、ベース部材６が強固な固定壁１に直接装着される場合は、図２（ａ）に示すようにベース部材６のねじ穴21に緩やかに挿通される小径の雄ねじ27を固定壁１に緊密に螺入させて十分に対処できるが、固定壁１が石膏ボードの場合は、図３および図４に示すように、固定壁１に形成した刳り貫き穴Ｈの縁部に一対の金具23−1，23−2からなる取付け金具23をボルト23ａにより装着して、同金具23に第１の雄ねじ24を介し取り付けられる固定壁表面側のプレート25に、予め第２の雄ねじ26でベース部材６を装着しておく必要がある。
【０００３】
上述のように、ベース部材６の固定壁１への装着手段としては、２種類の雄ねじ26，27のいずれか一方が用いられるが、プレート25を使用する予定で第２の雄ねじ26のみを現場に持参した状態で、図５に示すように、固定壁１の状況に応じベース部材６を同固定壁１に同雄ねじ26で直接取り付けようとすると、例えば５ｍｍのねじ穴に５ｍｍの雄ねじ26が螺合するようになって、ベース部材６が固定壁１の表面から浮き上がってしまうことがある。
【特許文献１】特開平１０−３３６８６５号公報
【考案の開示】
【考案が解決しようとする課題】
【０００４】
本考案は、壁部表面にコード保持用ベース部材を取り付ける際に、壁部が強固な固定壁の場合と石膏ボードの場合とに適切に使い分けできるようにしたコード保持用部品セットを提供することを課題とする。
【課題を解決するための手段】
【０００５】
前述の課題を解決するため、本考案のコード保持用部品セットは、石膏ボードの壁部の表面にコード保持用ベース部材を取り付けるべく、同ベース部材と、上記壁部の刳り貫き穴の縁部に装着されて上記ベース部材を保持するための取付け金具と、同取付け金具にねじ止めされるようにして上記壁部の表面に装着されるためのプレートおよび同プレートのねじ止めのための第１の雄ねじとを備えるとともに、上記プレートの裏面側から表面側へ同プレートを貫通して上記ベース部材におけるねじ穴に螺合するための第２の雄ねじを備え、上記プレートを用いずに上記ベース部材を上記壁部に直接ねじ止めする際に同ベース部材における上記ねじ穴に挿通されて上記壁部へ螺入するための第３の雄ねじが、上記第２の雄ねじよりも小径の雄ねじとして組み込まれていることを特徴としている。
【０００６】
また、本考案のコード保持用部品セットは、上記第２の雄ねじが５ｍｍ径の雄ねじであり、上記第３の雄ねじが４ｍｍ径の雄ねじであることを特徴としている。
【０００７】
さらに、本考案のコード保持用部品セットは、上記ベース部材の下部に拘束部材を介し緩やかに装着されるためのフランジ付き短管と、同短管に挿通されて端部を保持されるコード挿通用可撓性パイプとが組み込まれていることを特徴としている。
【０００８】
また、本考案のコード保持用部品セットは、上記ベース部材にかぶせるためのカバーが組み込まれていることを特徴としている。
【考案の効果】
【０００９】
上述の本考案のコード保持用部品セットでは、石膏ボードの壁部の表面にコード保持用ベース部材を取り付ける際には、通常は、同壁部に刳り貫き穴を形成してから、同刳り貫き穴の縁部に上記取付け金具を装着するとともに、同取付け金具に、上記壁部の表面に沿わせるためのプレートが第１の雄ねじによって締結される。
上記プレートには、予め上記ベース部材が、上記プレートの裏面側から螺合する第２の雄ねじにより締結されており、このようにして石膏ボードの壁部表面へのコード保持用ベース部材の装着が的確に行われるようになる。
また、上記壁部が強固な固定壁の場合は、上記コード保持用ベース部材のみを同固定壁に直接取り付けることができるので、上記第２の雄ねじよりも小径の第３の雄ねじを用いて上記ベース部材の固定壁への装着が支障なく行われるようになる。
【００１０】
そして、上記第２の雄ねじが５ｍｍ径の雄ねじで、上記第３の雄ねじが４ｍｍ径の雄ねじに設定されていると、上記ベース部材を固定壁へ直接装着する際に第２の雄ねじよりもやや小径の第３の雄ねじが上記第２の雄ねじのねじ穴を素通りして上記ベース部材を浮き上がらせることなく、同ベース部材を固定壁へねじ止めする操作が確実に行われるようになる。
【００１１】
さらに、上記ベース部材の下部に拘束部材を介し緩やかに装着されるためのフランジ付き短管と、同短管に挿通されて端部を保持されるコード挿通用可撓性パイプとが組み込まれていると、固定壁に沿うコードを、上記可撓性パイプを通じて電気錠付き扉へ架け渡すための工事が能率よく的確に行われるようになる。
【００１２】
そして、上記短管が上記拘束部材を介し緩やかに装着されることにより、同短管内に挿通されるコード挿通用可撓性パイプも緩やかに拘束されるようになって、上記電気錠付き扉の開閉の際に上記コードにかかる外力が大幅に軽減されるので、設備全体としての耐久性の向上が期待されるようになる。
【００１３】
上述のようにして、壁部表面に装着されるコード保持用ベース部材において最終的にカバーがかぶせられると、全体として優美な形態が保たれるようになる。
【実施例】
【００１４】
図１は本考案の一実施例としてのコード保持用部品セットを用いて組み立てられた装置の使用状態を示す説明図、図２（ａ）は上記コード保持用部品セットを用いてベース部材を壁部へねじ止めする状態を示す説明図、図２（ｂ）は上記ベース部材にかぶせるカバーの斜視図、図３は上記コード保持用部品セットを用いてプレート付きベース部材を石膏ボードへ装着した状態を示す正面図、図４は図３のＡ−Ａ矢視断面図である。
【００１５】
本実施例のコード保持用部品セットには、図３，４に示すごとく、石膏ボードの壁部１の表面にコード５（図１参照）を保持するベース部材６を取り付けるための各部品が組み込まれている。
すなわち、ベース部材６と、壁部１の刳り貫き穴Ｈの縁部に取付けねじ23ａを介し一体に装着されるための表金具23−1および裏金具23−2からなる取付け金具23と、同取付け金具23の表金具23−1に第１の雄ねじ24によりねじ止めされるようにして固定壁１の表面に装着されるための美麗なプレート25とがセットとして組み込まれるほか、同セットにはプレート25の裏側からベース部材６のねじ穴21に螺入するようにして同ベース部材６を止着するための、例えば５ｍｍ径の第２の雄ねじ26が組み込まれる。
【００１６】
また、上記セットには、図２に示すごとく、ベース部材６のねじ穴21を緩やかに素通りして固定壁に螺入しうるように、例えば４ｍｍ径の第３の雄ねじ27も組み込まれている。
【００１７】
また、本実施例では、図１に示すように、固定壁１にヒンジ２を介し枢着された扉３に、電気錠４を新設する際に、同電気錠４へ通電できるように、固定壁１と扉３とに、それぞれ通電用コード５を保持するための一対のベース部材６がセットとして設けられるが、同セットには、さらにベース部材６の相互間にＵ字型に配設されてコード５を挿通される可撓性パイプ７と、同可撓性パイプ７の端部を挿通保持してベース部材６の下部に装着される短管８とが組み込まれている。
【００１８】
そして、短管８はベース部材６に対し鉛直軸線のまわりに回動可能に緩やかに取り付けられており、その取り付け手段としては、短管８の上端において同短管８の外周側へ張り出すように形成されたフランジ８ｆの下側を、ベース部材６にねじ止めにより装着された拘束部材９の円弧状部分９ａで緩やかに受けることにより、同短管８の落下を防止できるようにした構成が採用されている。
【００１９】
このようにして設けられた短管８には、可撓性パイプ７の端部が挿通されて、短管８の壁部に螺合し同壁部を貫通する止めねじ８ａにより、可撓性パイプ７の端部が短管８に止着される。
【００２０】
これにより、可撓性パイプ７の端部は、短管８と一体の状態で拘束部材９の内側に緩やかに拘束されており、扉３の開閉に伴い、拘束部材９の円弧状部分９ａの内部で可撓性パイプ７の端部の微小回動が許容されるように構成される。
【００２１】
また、ベース部材６には、同ベース部材６の内部からコード５を上方へ案内するための第１案内部11と、上記ベース部材６の内部からコード５を両側方のいずれかへ屈曲させて外側方へ案内できるように左右にそれぞれ形成された第２案内部12，12とが設けられている。
【００２２】
さらに、ベース部材６には、図２（ｂ）に示すカバー６ａが装着されるようになっている。なお、カバー６ａには、図１に示すコード５を引き出す場合に破断して通路を形成できるように、薄肉部分としてのノックアウトＫが形成される。
【００２３】
上述の本実施例のコード保持用部品セットでは、石膏ボードの壁部１の表面にコード保持用ベース部材６を取り付ける際には、通常は、同壁部１に刳り貫き穴Ｈを形成してから、同刳り貫き穴Ｈの縁部に取付け金具23を装着するとともに、同取付け金具23に、上記壁部１の表面に沿わせるためのプレート25が第１の雄ねじ24によって締結される。
プレート25には、予めベース部材６が、プレート25の裏面側から螺合する第２の雄ねじ26により締結されており、このようにして石膏ボードの壁部表面へのコード保持用ベース部材６の装着が的確に行われるようになる。
また、壁部1が強固な固定壁の場合は、コード保持用ベース部材６のみを同固定壁に直接取り付けることができるので、第２の雄ねじ26よりも小径の第３の雄ねじ27を用いてベース部材６の固定壁１への装着が支障なく行われるようになる。
【００２４】
そして、第２の雄ねじ26が５ｍｍ径の雄ねじで、第３の雄ねじ27が４ｍｍ径の雄ねじに設定されているので、ベース部材６を固定壁１へ直接装着する際に第２の雄ねじ26よりもやや小径の第３の雄ねじ27が第２の雄ねじ26のねじ穴21を素通りして同ベース部材６を固定壁１へ締め付けるので、ベース部材６を浮き上がらせることなく、同ベース部材６を固定壁１へねじ止めする操作が確実に行われるようになる。
【００２５】
さらに、ベース部材６の下部に拘束部材９を介し緩やかに装着されるためのフランジ付き短管８と、同短管８に挿通されて端部を保持されるコード挿通用可撓性パイプ７とが組み込まれているので、固定壁１に沿うコード５を、可撓性パイプ７を通じて電気錠４付き扉３へ架け渡すための工事が能率よく的確に行われるようになる。なお、本実施例の部品セットには可撓性パイプ７を短管８に止着するための止めねじ８ａも組み込まれている。
【００２６】
そして、短管８が拘束部材９を介し緩やかに装着されることにより、同短管８内に挿通されるコード挿通用可撓性パイプ７も緩やかに拘束されるようになって、電気錠４付き扉３の開閉の際にコード５にかかる外力が大幅に軽減されるので、設備全体としての耐久性の向上が期待されるようになる。
【００２７】
上述のようにして、壁部表面に装着されるコード保持用ベース部材６において、最終的にカバー６ａがかぶせられると、全体として優美な形態が保たれるようになる。
【図面の簡単な説明】
【００２８】
【図１】本考案の一実施例としてのコード保持用部品セットの使用状態を示す説明図である。
【図２】（ａ）図は本考案のコード保持用部品セットによるベース部材の組立て状態を示す説明図であり、（ｂ）図は上記ベース部材にかぶせるカバーの斜視図である。
【図３】上記ベース部材にプレートを付加した状態を示す正面図である。
【図４】図３のＡ−Ａ矢視断面図である。
【図５】上記ベース部材の固定壁への不具合な取付け状況を示す説明図である。
【符号の説明】
【００２９】
１  固定壁
２  ヒンジ
３  扉
４  電気錠
５  コード
６  ベース部材
６ａ  カバー
７  可撓性パイプ
８  短管
８ａ  止めねじ
８ｆ  フランジ
９  拘束部材
９ａ  円弧状部分
11  第１案内部
12  第２案内部
13  スイッチ操作盤
21  ねじ穴
23  取付け金具
23−1  表金具
23−2  裏金具
23ａ  取付けねじ
24  第１の雄ねじ
25  プレート
26  第２の雄ねじ
27  第３の雄ねじ
Ｈ  刳り貫き穴
Ｋ  ノックアウト
【図１】
0003142627.tif 000003
【図２】
0003142627.tif 000004
【図３】
0003142627.tif 000005
【図４】
0003142627.tif 000006
【図５】
0003142627.tif 000007